【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
ワイヤレス通信のための第1のデバイスであって、
非無線周波数信号により、識別情報および第2のデバイスの1つまたは複数の能力を示す情報を取得するように構成された第1のインターフェースと、
無線周波数信号により通信するように構成された第2のインターフェースと、
前記第2のデバイスの前記示された1つまたは複数の能力のうちの1つまたは複数の選択を取得するように構成された第3のインターフェースと、
処理システムであって、
前記第2のインターフェースにより、前記第2のデバイスとの接続を確立するために、前記識別情報と前記第2のデバイスの前記示された能力のうちの前記選択された1つまたは複数とを使用し、
前記第2のインターフェースにより前記第1のデバイスと前記第2のデバイスとの間で、前記第2のデバイスの前記選択された1つまたは複数の能力に少なくとも部分的に基づいてデータを転送する
ように構成された処理システムと
を備える、第1のデバイス。
【請求項２】
前記第2のインターフェースが、ワイヤレスローカルエリアネットワーク(WLAN)インターフェースを含む、請求項1に記載の第1のデバイス。
【請求項３】
前記第2のインターフェースが、少なくとも60GHz周波数帯域で動作する、請求項1に記載の第1のデバイス。
【請求項４】
前記第3のインターフェースが、前記第1のデバイスと前記第2のデバイスとの間のデータの前記転送の前に、ユーザが確認応答を提供することを可能にするようにさらに構成される、請求項1に記載の第1のデバイス。
【請求項５】
前記処理システムが、前記ユーザが確認応答を提供することを可能にする前に、前記第2のインターフェースにより追加情報を検索するために前記識別情報を使用するように構成される
請求項4に記載の第1のデバイス。
【請求項６】
前記追加情報が、前記ユーザに関連する支払い情報を含む、請求項5に記載の第1のデバイス。
【請求項７】
前記非無線周波数信号が、超音波周波数で取得される信号を含む、請求項1に記載の第1のデバイス。
【請求項８】
前記データが、マルチメディアコンテンツを含む、請求項1に記載の第1のデバイス。
【請求項９】
前記第1のインターフェースが、前記接続により利用可能なマルチメディアコンテンツに関する情報を取得するようにさらに構成される、請求項1に記載の第1のデバイス。
【請求項１０】
ワイヤレス通信のための第1のデバイスであって、
非無線周波数信号により、送信のために識別情報および前記第1のデバイスの1つまたは複数の能力を示す情報を出力するように構成された第1のインターフェースと、
前記第1のデバイスと通信することを求める、前記識別情報および前記第1のデバイスの前記示された1つまたは複数の能力から選択された1つまたは複数の能力を含む要求を、無線周波数信号により取得するように構成された第2のインターフェースと、
処理システムであって、
前記第2のインターフェースにより、第2のデバイスとの接続を確立し、
前記第2のインターフェースにより前記第1のデバイスと前記第2のデバイスとの間で、前記第1のデバイスの前記1つまたは複数の能力を示す前記情報と前記第1のデバイスの前記選択された1つまたは複数の能力とに少なくとも部分的に基づいてデータを転送する
ように構成された処理システムと
を備える、第1のデバイス。
【請求項１１】
前記第2のインターフェースが、ワイヤレスローカルエリアネットワーク(WLAN)インターフェースを含む、請求項10に記載の第1のデバイス。
【請求項１２】
前記第2のインターフェースが、少なくとも60GHz周波数帯域で動作する、請求項10に記載の第1のデバイス。
【請求項１３】
前記非無線周波数信号が、超音波周波数で出力される、請求項10に記載の第1のデバイス。
【請求項１４】
前記データが、マルチメディアコンテンツを含む、請求項10に記載の第1のデバイス。
【請求項１５】
前記第1のインターフェースが、送信のために前記接続により利用可能なマルチメディアコンテンツのリストに関する情報を出力するようにさらに構成される、請求項10に記載の第1のデバイス。
【請求項１６】
第1のデバイスによるワイヤレス通信のための方法であって、
非無線周波数信号により、識別情報および第2のデバイスの1つまたは複数の能力を示す情報を取得するステップと、
無線周波数インターフェースにより、前記第2のデバイスとの接続を確立するために前記識別情報を使用するステップと、
前記第2のデバイスの前記示された1つまたは複数の能力のうちの1つまたは複数の選択を取得するステップと、
前記無線周波数インターフェースにより、前記識別情報と前記第2のデバイスとの接続を確立するための前記第2のデバイスの前記示された能力の前記選択された1つまたは複数とを使用するステップと、
前記無線周波数インターフェースにより前記第1のデバイスと前記第2のデバイスとの間で、前記第2のデバイスの前記1つまたは複数の能力を示す前記情報と前記第2のデバイスの前記選択された1つまたは複数の能力とに少なくとも部分的に基づいてデータを転送するステップと
を含む、方法。
【請求項１７】
前記無線周波数インターフェースが、ワイヤレスローカルエリアネットワーク(WLAN)インターフェースを含む、請求項16に記載の方法。
【請求項１８】
前記無線周波数インターフェースが、少なくとも60GHz周波数帯域で動作する、請求項16に記載の方法。
【請求項１９】
前記第1のデバイスと前記第2のデバイスとの間のデータの前記転送の前に、ユーザが確認応答を提供することを可能にするステップ
をさらに含む、請求項16に記載の方法。
【請求項２０】
前記非無線周波数信号が、超音波周波数で受信される信号を含む、請求項16に記載の方法。
【請求項２１】
前記データが、マルチメディアコンテンツを含む、請求項16に記載の方法。
【請求項２２】
前記無線周波数インターフェースにより利用可能なマルチメディアコンテンツに関する情報を、非無線周波数信号により取得するステップ
をさらに含む、請求項16に記載の方法。
【請求項２３】
第1のデバイスによるワイヤレス通信のための方法であって、
非無線周波数信号により、送信のために識別情報および前記第1のデバイスの1つまたは複数の能力を示す情報を出力するステップと、
前記第1のデバイスと通信することを求める、前記識別情報および前記第1のデバイスの前記示された1つまたは複数の能力から選択された1つまたは複数の能力を含む要求を、無線周波数インターフェースにより取得するステップと、
前記無線周波数インターフェースにより、第2のデバイスとの接続を確立するステップと、
前記無線周波数インターフェースにより前記第1のデバイスと前記第2のデバイスとの間で、前記第1のデバイスの前記1つまたは複数の能力を示す前記情報と前記第1のデバイスの前記選択された1つまたは複数の能力とに少なくとも部分的に基づいてデータを転送するステップと
を含む、方法。
【請求項２４】
前記無線周波数インターフェースが、ワイヤレスローカルエリアネットワーク(WLAN)インターフェースを含む、請求項23に記載の方法。
【請求項２５】
前記無線周波数インターフェースが、少なくとも60GHz周波数帯域で動作する、請求項23に記載の方法。
【請求項２６】
前記非無線周波数信号が、超音波信号を含む、請求項23に記載の方法。
【請求項２７】
前記データが、マルチメディアコンテンツを含む、請求項23に記載の方法。
【請求項２８】
送信のために前記接続により利用可能なマルチメディアコンテンツのリストに関する情報を、非無線周波数信号により出力するステップ
をさらに含む、請求項23に記載の方法。
【請求項２９】
受信機をさらに備え、前記第1のインターフェースが少なくとも1つの受信機を使用して通信するように構成され、前記第1のデバイスがワイヤレス局として構成される、請求項1に記載の第1のデバイス。
【請求項３０】
受信機をさらに備え、前記第1のインターフェースが少なくとも1つの受信機を使用して通信するように構成され、前記第1のデバイスがワイヤレス局として構成される、請求項10に記載の第1のデバイス。